(57)【要約】  芳香族ポリカーボネート樹脂本来の特性（透明性、耐表層剥離性、耐熱性、耐衝撃性、及び耐薬品性）を損なうことなく、成形加工時の流動性を向上させ、大型化、薄肉化、形状複雑化した成形品の成形を実現する。芳香族ビニル単量体（ａ１）０．５〜９９質量％、（メタ）アクリル酸フェニル又はフェニル基に置換基を有する（メタ）アクリル酸フェニル（ａ２）０．５〜９９質量％、及び官能基（Ｘ）を有するビニル単量体（ａ３）０．５〜５質量％を含有する単量体混合物（ａ）を重合して得られる重合体（Ａ）０．５〜９９．５質量部と、（メタ）アクリル酸フェニル又はフェニル基に置換基を有する（メタ）アクリル酸フェニル（ｂ１）を含有する単量体混合物（ｂ）と、官能基（Ｘ）と反応し得る官能基（Ｙ）を有する化合物を用いて重合して得られる重合体（Ｂ）０．５〜９９．５質量部とを含有する（但し、重合体（Ａ）及び重合体（Ｂ）の合計を１００質量部とする）流動性向上剤。【特許請求の範囲】
【請求項１】
芳香族ビニル単量体（ａ１）０．５〜９９質量％、（メタ）アクリル酸フェニル又はフェニル基に置換基を有する（メタ）アクリル酸フェニル（ａ２）０．５〜９９質量％、及び官能基（Ｘ）を有するビニル単量体（ａ３）０．５〜５質量％を含有する単量体混合物（ａ）を重合して得られる重合体（Ａ）０．５〜９９．５質量部と、
（メタ）アクリル酸フェニル又はフェニル基に置換基を有する（メタ）アクリル酸フェニル（ｂ１）を含有する単量体混合物（ｂ）と、官能基（Ｘ）と反応し得る官能基（Ｙ）を有する化合物を用いて重合して得られる重合体（Ｂ）０．５〜９９．５質量部とを含有する（但し、重合体（Ａ）及び重合体（Ｂ）の合計を１００質量部とする）流動性向上剤。
【請求項２】
請求項１記載の重合体（Ａ）１０〜４５質量部、請求項１記載の重合体（Ｂ）１０〜４５質量部、及び、
芳香族ビニル単量体（ｃ１）０．５〜９９．５質量％、（メタ）アクリル酸フェニル又はフェニル基に置換基を有する（メタ）アクリル酸フェニル（ｃ２）０．５〜９９．５質量％を含有する単量体混合物（ｃ）を重合して得られる重合体（Ｃ）１０〜８０質量部を含有する（但し、重合体（Ａ）〜（Ｃ）の合計が１００質量部）流動性向上剤。
【請求項３】
重合体（Ａ）が有する官能基（Ｘ）と、重合体（Ｂ）が有する官能基（Ｙ）を反応させて得られる、請求項１又は２記載の流動性向上剤。
【請求項４】
官能基（Ｘ）がエポキシ基であり、官能基（Ｙ）がカルボキシル基である、請求項１〜３のいずれかに記載の流動性向上剤。
【請求項５】
芳香族ポリカーボネート樹脂７０〜９９．９質量％と、請求項１〜４のいずれかに記載の流動性向上剤０．１〜３０質量％とを含有する芳香族ポリカーボネート系樹脂組成物。
【請求項６】
芳香族ポリカーボネート樹脂６９．９〜９９．８質量％と、請求項１〜４のいずれかに記載の流動性向上剤０．１〜３０質量％と、光拡散剤０．１〜３０質量％とを含有する芳香族ポリカーボネート系樹脂組成物。
【請求項７】
請求項５又は６記載の芳香族ポリカーボネート系樹脂組成物を成形して得られる成形品。
【請求項８】
請求項７記載の成形品の表面にハードコート層が設けられたハードコート品。
【請求項９】
請求項７記載の成形品、又は請求項８記載のハードコート品を用いたグレージング材。
【請求項１０】
請求項６記載の芳香族ポリカーボネート系樹脂組成物を成形して得られる光拡散板。
【請求項１１】
請求項５記載の芳香族ポリカーボネート系樹脂組成物を成形して得られる光ディスク基板。
【請求項１２】
請求項５記載の芳香族ポリカーボネート系樹脂組成物を成形して得られる導光板。
【発明の詳細な説明】
【技術分野】
【０００１】
本発明は、芳香族ポリカーボネート樹脂本来の特性（透明性、耐表層剥離性、耐熱性、耐衝撃性、及び耐薬品性）を損なうことなく、成形加工時の流動性を向上させるための流動性向上剤、該流動性向上剤を含有する流動性に優れた芳香族ポリカーボネート系樹脂組成物、及び成形品に関する。
本願は、２００６年１２月２５日に、日本に出願された特願2006−347026号に基づき優先権を主張し、その内容をここに援用する。
【背景技術】
【０００２】
芳香族ポリカーボネート樹脂は、機械強度、耐熱性、電気特性、寸法安定性等に優れていることから、ＯＡ（オフィスオートメーション）機器、情報・通信機器、電子・電気機器、家庭電化機器、自動車用部材、建築材料等の幅広い分野に使用されている。しかし、芳香族ポリカーボネート樹脂は非晶性であるため、成形加工温度が高く、溶融流動性に劣るという問題点を有している。
芳香族ポリカーボネート樹脂の優れた特性を損なうことなく溶融流動性を向上させ、射出成形性を高めるため、種々の方法が提案されている。【０００３】
例えば、芳香族ビニル単量体及び（メタ）アクリル酸フェニル単量体を重合して得られる共重合体を、ポリカーボネート樹脂に配合する方法が提案されている（特許文献１）。
この方法では、成形加工時の溶融流動性は向上するものの、得られる成形品の透明性及び耐衝撃性は十分ではなく、さらなる向上が求められている。【０００４】
また、エポキシ基等の官能基を有する共重合体をポリカーボネート樹脂に配合する方法も提案されている（特許文献２）。
しかしながら、エポキシ基等の官能基は反応性が高いため、エポキシ基等の官能基を有する共重合体とポリカーボネート樹脂との配合物を溶融混練する際に、樹脂の滞留によって劣化が進行し、成形品の透明性及び耐衝撃性が低下するという問題点があった。【０００５】
さらに、カルボキシル基を有するスチレン／アクリロニトリル共重合体と、エポキシ基を有するスチレン／アクリロニトリル共重合体とを、芳香族ポリカーボネート樹脂に配合する方法も提案されている（特許文献３）。
この方法は樹脂組成物の機械的強度、耐熱性を損なうことなく成形加工時の流動性を向上させるが、得られる成形品の透明性が低下するために、透明性の要求される用途には適用できないという問題点があった。
【特許文献１】国際公開第２００５／０３０８１９号パンフレット
【特許文献２】特開２０００−１７８４３２号公報
【特許文献３】特開平０６−３０６２３０号公報
【発明の開示】
【発明が解決しようとする課題】
【０００６】
本発明の目的は、芳香族ポリカーボネート樹脂本来の特性（透明性、耐表層剥離性、耐熱性、耐衝撃性、及び耐薬品性）を損なうことなく、成形加工時の流動性を向上させるための流動性向上剤、該流動性向上剤を含有する流動性に優れた芳香族ポリカーボネート系樹脂組成物、及び成形品を提供することにある。
【課題を解決するための手段】
【０００７】
本発明者らは鋭意検討した結果、官能基（Ｘ）を有する重合体と、官能基（Ｘ）と反応し得る官能基（Ｙ）を有する重合体とを流動性向上剤として用い、該流動性向上剤を芳香族ポリカーボネート樹脂と溶融混練することにより、芳香族ポリカーボネート樹脂本来の特性を損なうことなく、成形加工時の流動性の向上が可能であることを見出した。【０００８】
即ち、本発明の流動性向上剤は、芳香族ビニル単量体（ａ１）０．５〜９９質量％、（メタ）アクリル酸フェニル又はフェニル基に置換基を有する（メタ）アクリル酸フェニル（ａ２）０．５〜９９質量％、及び官能基（Ｘ）を有するビニル単量体（ａ３）０．５〜５質量％を含有する単量体混合物（ａ）を重合して得られる重合体（Ａ）０．５〜９９．５質量部と、（メタ）アクリル酸フェニル又はフェニル基に置換基を有する（メタ）アクリル酸フェニル（ｂ１）を含有する単量体混合物（ｂ）と、官能基（Ｘ）と反応し得る官能基（Ｙ）を有する化合物を用いて重合して得られる重合体（Ｂ）０．５〜９９．５質量部とを含有する（但し、重合体（Ａ）及び重合体（Ｂ）の合計を１００質量部とする）。【０００９】
また、本発明の流動性向上剤は、前記の重合体（Ａ）１０〜４５質量部、前記の重合体（Ｂ）１０〜４５質量部、及び、芳香族ビニル単量体（ｃ１）０．５〜９９．５質量％、（メタ）アクリル酸フェニル又はフェニル基に置換基を有する（メタ）アクリル酸フェニル（ｃ２）０．５〜９９．５質量％を含有する単量体混合物（ｃ）を重合して得られる重合体（Ｃ）１０〜８０質量部を含有する（但し、重合体（Ａ）〜（Ｃ）の合計が１００質量部）。
また、本発明の流動性向上剤は、重合体（Ａ）が有する官能基（Ｘ）と、重合体（Ｂ）が有する官能基（Ｙ）を反応させて得られる。
官能基（Ｘ）がエポキシ基であり、官能基（Ｙ）がカルボキシル基であることが好ましい。【００１０】
本発明の芳香族ポリカーボネート系樹脂組成物は、芳香族ポリカーボネート樹脂７０〜９９．９質量％と、前記の流動性向上剤０．１〜３０質量％とを含有する。
また、本発明の芳香族ポリカーボネート系樹脂組成物は、芳香族ポリカーボネート樹脂６９．９質量％と、前記の流動性向上剤０．１〜３０質量％と、光拡散剤０．１〜３０質量％とを含有する。
本発明の成形品は、前記の芳香族ポリカーボネート系樹脂組成物を成形して得られる。
【発明の効果】
【００１１】
本発明の流動性向上剤によれば、芳香族ポリカーボネート樹脂本来の特性（透明性、耐表層剥離性、耐熱性、耐衝撃性、及び耐薬品性）を損なうことなく、成形加工時の流動性を向上させることができる。
本発明の芳香族ポリカーボネート系樹脂組成物によれば、成形加工時の流動性良く、成形品を得ることができ、ハードコート品、グレージング材、光拡散板、光ディスク基板、導光板として優れた性能を有する。
本発明の成形品は、芳香族ポリカーボネート樹脂本来の特性を有し、ハードコート品、グレージング材、光拡散板、光ディスク基板、導光板として有用である。
【図面の簡単な説明】
【００１２】
【図１】反りの測定結果を示した図である。（実施例１９、比較例１４）
【図２】位相差の測定結果を示した図である。（実施例１９、比較例１４）
【発明を実施するための最良の形態】
【００１３】
本発明の重合体（Ａ）は、芳香族ビニル単量体（ａ１）、（メタ）アクリル酸フェニル又はフェニル基に置換基を有する（メタ）アクリル酸フェニル（ａ２）、及び官能基（Ｘ）を有するビニル単量体（ａ３）を含有する単量体混合物（ａ）を重合して得られる。【００１４】
芳香族ビニル単量体（ａ１）としては、例えば、スチレン、α−メチルスチレン、ｐ−メチルスチレン、ｐ−ｔ−ブチルスチレン、ｐ−メトキシスチレン、ｏ−メトキシスチレン、２，４−ジメチルスチレン、クロロスチレン、ブロモスチレン、ビニルトルエン、ビニルナフタレン、ビニルアントラセンが挙げられる。これらの単量体は１種を単独で用いてもよく、２種以上を併用してもよい。
これらの中では、重合体（Ａ）の屈折率が芳香族ポリカーボネート樹脂と近くなり、ガラス転移温度が高くなることから、スチレン、α−メチルスチレン、ｐ−ｔ−ブチルスチレンが好ましく、スチレンとα−メチルスチレンを併用することがより好ましい。【００１５】
芳香族ビニル単量体（ａ１）がスチレンとα−メチルスチレンとの併用である場合、芳香族ビニル単量体（ａ１）中のα−メチルスチレンの含有量は１０〜７０質量％であることが好ましい。
芳香族ビニル単量体（ａ１）中のα−メチルスチレンの含有量が１０質量％以上であれば、得られる重合体のガラス転移温度が高くなり、高温時の透明性が良好となる。より好ましくは２０質量％以上、さらに好ましくは３０質量％以上である。
芳香族ビニル単量体（ａ１）中のα−メチルスチレンの含有量が７０質量％以下であれば、共重合性が悪くならず、得られる重合体の重合率が高くなる。より好ましくは６０質量％以下、さらに好ましくは５０質量％以下である。【００１６】
（メタ）アクリル酸フェニル又はフェニル基に置換基を有する（メタ）アクリル酸フェニル（ａ２）としては、例えば、（メタ）アクリル酸フェニル、（メタ）アクリル酸４−ｔ−ブチルフェニル、（メタ）アクリル酸ブロモフェニル、（メタ）アクリル酸ジブロモフェニル、（メタ）アクリル酸２，４，６−トリブロモフェニル、（メタ）アクリル酸モノクロルフェニル、（メタ）アクリル酸ジクロルフェニル、（メタ）アクリル酸トリクロルフェニルが挙げられる。これらの単量体は１種を単独で用いてもよく、２種以上を併用してもよい。
これらの中では、芳香族ポリカーボネート樹脂に対する相溶性が高く、成形品の耐表層剥離性を損なわないことから、（メタ）アクリル酸フェニルが好ましい。
尚、本発明書において、（メタ）アクリルは、アクリル又はメタクリルを意味する。【００１７】
本発明のビニル単量体（ａ３）が有する官能基（Ｘ）としては、例えば、エポキシ基、カルボキシル基、水酸基、アミノ基が挙げられる。
官能基（Ｘ）を有するビニル単量体としては、例えば、（メタ）アクリル酸グリシジル、（メタ）アクリル酸、（メタ）アクリル酸２−ヒドロキシエチル、（メタ）アクリル酸ジメチルアミノエチルが挙げられる。【００１８】
官能基（Ｘ）の中では、溶融混練工程における重合体（Ｂ）との反応性が良好であることから、エポキシ基が好ましい。エポキシ基を有するビニル単量体としては、（メタ）アクリル酸グリシジルが挙げられる。【００１９】
単量体混合物（ａ）（１００質量％）中の、芳香族ビニル単量体（ａ１）の含有率は０．５〜９９質量％、（メタ）アクリル酸フェニル又はフェニル基に置換基を有する（メタ）アクリル酸フェニル（ａ２）の含有率は０．５〜９９質量％、官能基（Ｘ）を有するビニル単量体（ａ３）の含有率は０．５〜５質量％である。【００２０】
単量体混合物（ａ）（１００質量％）中の、芳香族ビニル単量体（ａ１）の含有率が０．５質量％以上であれば、芳香族ポリカーボネート樹脂に対して非相溶となり、成形加工時の流動性を向上させ、成形品の耐薬品性が損なわれない。好ましくは４０質量％以上であり、より好ましくは６０質量％以上である。
単量体混合物（ａ）（１００質量％）中の、芳香族ビニル単量体（ａ１）の含有率が９９質量％以下であれば、成形品の耐表層剥離性、及び機械的特性が損なわれない。好ましくは９５質量％以下である。【００２１】
単量体混合物（ａ）（１００質量％）中の、（メタ）アクリル酸フェニル又はフェニル基に置換基を有する（メタ）アクリル酸フェニル（ａ２）の含有率が０．５質量％以上であれば、成形品の耐表層剥離性、及び機械的特性が損なわれない。好ましくは５質量％以上である。
単量体混合物（ａ）（１００質量％）中の、（メタ）アクリル酸フェニル又はフェニル基に置換基を有する（メタ）アクリル酸フェニル（ａ２）の含有率が９９質量％以下であれば、芳香族ポリカーボネート樹脂に対して非相溶となり、成形加工時の流動性を向上させ、成形品の耐薬品性が損なわれない。好ましくは６０質量％以下であり、より好ましくは４０質量％以下である。【００２２】
単量体混合物（ａ）（１００質量％）中の、官能基（Ｘ）を有するビニル単量体（ａ３）の含有率が０．５質量％以上であれば、芳香族ポリカーボネート樹脂との溶融混練時に分解を生じることなく、流動性を向上させる。
単量体混合物（ａ）（１００質量％）中の、官能基（Ｘ）を有するビニル単量体（ａ３）の含有率が５質量％以下であれば、芳香族ポリカーボネート樹脂との溶融混練時に滞留による劣化を生じることがなく、流動性を向上させる。好ましくは２．５質量％以下である。【００２３】
単量体混合物（ａ）は、必要に応じて、単量体（ａ１）〜（ａ３）と共重合可能な、他の単量体（ａ４）を含有してもよい。
他の単量体（ａ４）としては、例えば、（メタ）アクリル酸メチル、（メタ）アクリル酸エチル、（メタ）アクリル酸ブチル、（メタ）アクリル酸２−エチルヘキシル、（メタ）アクリル酸ラウリル、（メタ）アクリル酸ステアリル、（メタ）アクリル酸シクロヘキシル、（メタ）アクリル酸イソボルニル、（メタ）アクリル酸ｔ−ブチルシクロヘキシル等の（メタ）アクリル酸アルキルエステル；（メタ）アクリル酸ベンジル；（メタ）アクリル酸アリル、ジ（メタ）アクリル酸１，３−ブチレン、ジビニルベンゼン等の多官能単量体；安息香酸ビニル；酢酸ビニル；無水マレイン酸；Ｎ−フェニルマレイミド、シクロヘキシルマレイミド等のマレイミド化合物；ピペリジニル基を有するエチレン性不飽和単量体が挙げられる。これらは１種を単独で用いてもよく、２種以上を併用してもよい。【００２４】
単量体混合物（ａ）（１００質量％）中の、他の単量体（ａ４）の含有率は０〜４０質量％である。
単量体混合物（ａ）（１００質量％）中の、他の単量体（ａ４）の含有率が４０質量％以下であれば、成形加工時の流動性を向上させ、成形品の耐薬品性が損なわれない。【００２５】
重合体（Ａ）は、芳香族ポリカーボネート樹脂に対して非相溶であり、屈折率は芳香族ポリカーボネート樹脂に近いことが好ましい。
芳香族ポリカーボネート樹脂に対する重合体の相溶性は、以下のようにして確認する。【００２６】
芳香族ポリカーボネート樹脂９５質量部に、重合体５質量部を配合した樹脂組成物を射出成形して試験片を作製し、透過型電子顕微鏡（以下、「ＴＥＭ」と記す。）を用いて試験片のＴＥＭ写真を撮影し、該写真を画像解析する。
芳香族ポリカーボネート樹脂のマトリックス中に分散する重合体ドメインの、体積平均ドメイン径（ｄｖ）が、０．０５μｍ以上の相分離として確認される場合、重合体は芳香族ポリカーボネート樹脂に対して非相溶と判断する。体積平均ドメイン径（ｄｖ）が、０．０５μｍ以上の相分離として観察されない場合、重合体は芳香族ポリカーボネート樹脂に対して相溶と判断する。【００２７】
体積平均ドメイン径（ｄｖ）を算出する際の、ＴＥＭ写真の画像解析には、例えば、Ｉｍａｇｅ−ＰｒｏＰｌｕｓ  Ｖｅｒ．４．０  ｆｏｒ  Ｗｉｎｄｏｗｓ（登録商標）等の画像解析ソフトを用いることができる。
画像解析より、ＴＥＭ写真にある全てのドメイン（ｎ個）について、各ドメインの面積Ｒｊ （ｊ＝１〜ｎ）を求め、下記式１によってドメインの面積から真円換算した場合の直径ｄj （ｊ＝１〜ｎ）を算出する。
式１：  ｄｊ ＝（（４／π）×Ｒｊ ）１／２【００２８】
次に、下記式２によって直径（ｄj ）から体積平均ドメイン径（ｄｖ）を算出する。
具体的には、Ｊ．ＭＡＣＲＯＭＯＬ．ＳＣＩ．−ＰＨＹＳ．，Ｂ３８（５＆６），５２７（１９９９）に記載されている計算方法を用いる。
式２：  ｄｖ＝（Σｄｊ３ ／ｎ）１／３【００２９】
なお、得られる試験片は射出成形により流動が印加されているため、試験片中の重合体ドメインは、流動方向に配向している。そのため、ＴＥＭ写真の画像解析により算出される体積平均ドメイン径（ｄｖ）には異方性を生じることがある。よって、本発明においては、ＴＥＭ写真の撮影に用いる薄片の切り出しは、流動方向に対して直交する面とする。【００３０】
本発明の重合体（Ａ）を得るための重合方法としては、例えば、乳化重合法、懸濁重合法、溶液重合法、塊状重合法が挙げられるが、回収方法が容易である点で、懸濁重合法、乳化重合法が好ましい。但し、乳化重合法の場合は、重合体（Ａ）に残存する塩類が芳香族ポリカーボネート樹脂の分解を引き起こすおそれがあるため、カルボン酸系乳化剤を用いて、酸凝固等により重合体の回収を行なうか、燐酸エステル等のノニオンアニオン系乳化剤を用いて、酢酸カルシウム等で塩凝固することが好ましい。
重合開始剤としては、例えば、有機過酸化物、過硫酸塩、有機過酸化物又は過硫酸塩と還元剤との組み合わせからなるレドックス系開始剤、アゾ化合物が挙げられる。【００３１】
重合体（Ａ）の官能基（Ｘ）の量は０．０１〜０．２ｍｍｏｌ／ｇであり、０．０３〜０．１ｍｍｏｌ／ｇが好ましい。
重合体（Ａ）の官能基（Ｘ）の量が０．０１ｍｍｏｌ／ｇ以上であれば、重合体（Ｂ）との反応性が十分となり、成形品の耐表層剥離性、及び機械的特性が損なわれない。
重合体（Ａ）の官能基（Ｘ）の量が０．２ｍｍｏｌ／ｇ以下であれば、芳香族ポリカーボネート樹脂との溶融混練時に滞留による劣化を生じることがなく、流動性を向上させる。【００３２】
重合体（Ａ）の質量平均分子量は５０００以上であり、１００００以上が好ましく、１５０００以上がより好ましく、３００００以上がさらに好ましく、４００００以上が特に好ましい。また、重合体（Ａ）の質量平均分子量は２０００００以下であり、１７００００以下が好ましく、１５００００以下がより好ましく、１２００００以下がさらに好ましく、１０００００以下が特に好ましい。【００３３】
重合体（Ａ）の質量平均分子量が５０００以上であれば、相対的に低分子量物が少なく、成形品の耐熱性等が損なわれない。また、溶融混練時の発煙等による成形品の外観不良も生じない。高温時の透明性が良好な成形品（透明性の温度依存性が小さい成形品）が必要な場合は、重合体の質量平均分子量は高い方がよい。
重合体（Ａ）の質量平均分子量が２０００００以下であれば、芳香族ポリカーボネート系樹脂組成物の溶融粘度が高くならず、充分な溶融流動性の向上効果が得られる。【００３４】
本発明の重合体（Ｂ）は、（メタ）アクリル酸フェニル又はフェニル基に置換基を有する（メタ）アクリル酸フェニル（ｂ１）を含有する単量体混合物（ｂ）と、官能基（Ｘ）と反応し得る官能基（Ｙ）を有する化合物を用いて重合して得られる。【００３５】
（メタ）アクリル酸フェニル又はフェニル基に置換基を有する（メタ）アクリル酸フェニル（ｂ１）としては、前記の単量体（ａ２）と同様のものを用いることができる。（メタ）アクリル酸フェニル又はフェニル基に置換基を有する（メタ）アクリル酸フェニル（ｂ１）は１種を単独で用いてもよく、２種以上を併用してもよい。
これらの中では、芳香族ポリカーボネート樹脂に対する相溶性が高く、成形品の耐表層剥離性を損なわないことから、（メタ）アクリル酸フェニルが好ましい。【００３６】
単量体混合物（ｂ）（１００質量％）中の、（メタ）アクリル酸フェニル又はフェニル基に置換基を有する（メタ）アクリル酸フェニル（ｂ１）の含有率は０．５〜１００質量％である。
単量体混合物（ｂ）（１００質量％）中の、（メタ）アクリル酸フェニル又はフェニル基に置換基を有する（メタ）アクリル酸フェニル（ｂ１）の含有率が０．５質量％以上であれば、成形品の耐表層剥離性、及び機械的特性が損なわれない。好ましくは２５質量％以上であり、より好ましくは６０質量％以上である。【００３７】
単量体混合物（ｂ）は、必要に応じて、単量体（ｂ１）と共重合可能な、他の単量体（ｂ２）を含有してもよい。
他の単量体（ｂ２）としては、例えば、スチレン、α−メチルスチレン等の芳香族ビニル単量体；（メタ）アクリル酸メチル、（メタ）アクリル酸エチル、（メタ）アクリル酸ブチル、（メタ）アクリル酸２−エチルヘキシル、（メタ）アクリル酸ラウリル、（メタ）アクリル酸ステアリル、（メタ）アクリル酸シクロヘキシル、（メタ）アクリル酸イソボルニル、（メタ）アクリル酸ｔ−ブチルシクロヘキシル等の（メタ）アクリル酸アルキルエステル；（メタ）アクリル酸ベンジル；（メタ）アクリル酸２−ヒドロキシエチル、Ｎ−メチロールアクリルアミド、メタクリロイルオキシエチルイソシアネート等の官能基を有するビニル単量体；（メタ）アクリル酸アリル、ジ（メタ）アクリル酸１，３−ブチレン、ジビニルベンゼン等の多官能単量体；安息香酸ビニル；酢酸ビニル；無水マレイン酸；Ｎ−フェニルマレイミド、シクロヘキシルマレイミド等のマレイミド化合物；ポリカプロラクトンマクロモノマー；ピペリジニル基を有するエチレン性不飽和単量体等が挙げられる。これらは１種を単独で用いてもよく、２種以上を併用してもよい。【００３８】
単量体混合物（ｂ）（１００質量％）中の、他の単量体（ｂ２）の含有率は０〜９９．５質量％である。
単量体混合物（ｂ）（１００質量％）中の、他の単量体（ｂ２）の含有率が９９．５質量％以下であれば、成形加工時の流動性を向上させ、成形品の耐薬品性が損なわれない。好ましくは７５質量％以下であり、より好ましくは４０質量％以下である。【００３９】
官能基（Ｘ）がエポキシ基である場合、官能基（Ｙ）としては、例えば、カルボキシル基、水酸基、メチロール基が挙げられる。これらの中では、エポキシ基との反応性が良好であることから、カルボキシル基が好ましい。
官能基（Ｘ）がカルボキシル基である場合、官能基（Ｙ）としては、例えば、水酸基、イソシアネート基が挙げられる。
官能基（Ｘ）が水酸基である場合、官能基（Ｙ）としては、例えば、イソシアネート基が挙げられる。
官能基（Ｘ）がアミノ基である場合、官能基（Ｙ）としては、例えば、カルボキシル基が挙げられる。【００４０】
官能基（Ｙ）がカルボキシル基である場合、重合体（Ｂ）は、単量体混合物（ｂ）と、カルボキシル基を有する化合物を用いて重合して得られる。
カルボキシル基を有する化合物としては、例えば、（メタ）アクリル酸等のカルボキシル基を有する単量体；３−メルカプトプロピオン酸等のカルボキシル基を有する連鎖移動剤；４，４’−アゾビス（４−シアノ吉草酸）、２，２’アゾビス［Ｎ−（２−カルボキシエチル）−２−メチル−プロピオンアミジン］等のカルボキシル基を有する重合開始剤が挙げられる。これらの化合物は１種を単独で用いてもよく、２種以上を併用してもよい。
これらの中では、重合体（Ｂ）の末端に効率よくカルボキシル基を導入できることから、カルボキシル基を有する連鎖移動剤、カルボキシル基を有する重合開始剤が好ましい。【００４１】
重合体（Ｂ）としては、３−メルカプトプロピオン酸を連鎖移動剤として用いたメタクリル酸フェニル重合体、３−メルカプトプロピオン酸を連鎖移動剤として用い、メタクリル酸フェニルの含有量が９０質量％以上であるメタクリル酸フェニル−メタクリル酸メチル共重合体が好ましい。【００４２】
重合体（Ｂ）は、芳香族ポリカーボネート樹脂に対して相溶である。
即ち、芳香族ポリカーボネート樹脂のマトリックス中に分散する重合体ドメインの、体積平均ドメイン径（ｄｖ）が、０．０５μｍ以上の相分離として観察されない。【００４３】
本発明の重合体（Ｂ）を得るための重合方法としては、重合体（Ａ）と同様の重合方法を用いればよい。【００４４】
重合体（Ｂ）の官能基（Ｙ）の量は０．０２〜０．５ｍｍｏｌ／ｇであり、０．０５〜０．３ｍｍｏｌ／ｇが好ましい。
重合体（Ｂ）の官能基（Ｙ）の量が０．０２ｍｍｏｌ／ｇ以上であれば、重合体（Ａ）との反応性が十分となり、芳香族ポリカーボネート樹脂のマトリックス中に微細化された重合体ドメインが形成され、成形品が高度な透明性を有する。
重合体（Ｂ）の官能基（Ｙ）の量が０．５ｍｍｏｌ／ｇ以下であれば、溶融混練時に加水分解、熱分解を生じることがない。【００４５】
重合体（Ｂ）の質量平均分子量は５０００以上であり、１００００以上が好ましい。また、重合体（Ｂ）の質量平均分子量は２０００００以下であり、１２００００以下が好ましく、１０００００以下がより好ましく、５００００以下がさらに好ましい。【００４６】
重合体（Ｂ）の質量平均分子量が５０００以上であれば、相対的に低分子量物が少なく、成形品の耐熱性等が損なわれない。また、溶融混練時の発煙等による成形品の外観不良も生じない。
重合体（Ｂ）の質量平均分子量が２０００００以下であれば、芳香族ポリカーボネート樹脂に対する相溶性が低下せず、成形品の外観が良好となる。【００４７】
流動性向上剤中の重合体（Ａ）の含有量は０．５〜９９．５質量部であり、３０〜７０質量部であることが好ましい。流動性向上剤中の重合体（Ｂ）の含有量は０．５〜９９．５質量部であり、３０〜７０質量部であることが好ましい。但し、重合体（Ａ）及び重合体（Ｂ）の合計は１００質量部である。
流動性向上剤中の官能基（Ｘ）の量は、流動性向上剤中の官能基（Ｙ）の量よりも低いことが好ましい。【００４８】
本発明の重合体（Ｃ）は、芳香族ビニル単量体（ｃ１）、（メタ）アクリル酸フェニル又はフェニル基に置換基を有する（メタ）アクリル酸フェニル（ｃ２）を含有する単量体混合物（ｃ）を重合して得られる。【００４９】
芳香族ビニル単量体（ｃ１）としては、前記の芳香族ビニル単量体（ａ１）と同様のものを用いることができる。芳香族ビニル単量体（ｃ１）は１種を単独で用いてもよく、２種以上を併用してもよい。
これらの中では、重合体（Ｃ）の屈折率が芳香族ポリカーボネート樹脂と近くなり、ガラス転移温度が高くなることから、スチレン、α−メチルスチレン、ｐ−ｔ−ブチルスチレンが好ましく、スチレンとα−メチルスチレンを併用することがより好ましい。【００５０】
芳香族ビニル単量体（ｃ１）がスチレンとα−メチルスチレンとの併用である場合、芳香族ビニル単量体（ｃ１）中のα−メチルスチレンの含有量は１０〜７０質量％であることが好ましい。
芳香族ビニル単量体（ｃ１）中のα−メチルスチレンの含有量が１０質量％以上であれば、得られる重合体のガラス転移温度が高くなり、高温時の透明性が良好となる。より好ましくは２０質量％以上、さらに好ましくは３０質量％以上である。
芳香族ビニル単量体（ｃ１）中のα−メチルスチレンの含有量が７０質量％以下であれば、共重合性が悪くならず、得られる重合体の重合率が高くなる。より好ましくは６０質量％以下、さらに好ましくは５０質量％以下である。【００５１】
（メタ）アクリル酸フェニル又はフェニル基に置換基を有する（メタ）アクリル酸フェニル（ｃ２）としては、前記の単量体（ａ２）と同様のものを用いることができる。（メタ）アクリル酸フェニル又はフェニル基に置換基を有する（メタ）アクリル酸フェニル（ｃ２）は１種を単独で用いてもよく、２種以上を併用してもよい。
これらの中では、芳香族ポリカーボネート樹脂に対する相溶性が高く、成形品の耐表層剥離性を損なわないことから、（メタ）アクリル酸フェニルが好ましい。【００５２】
単量体混合物（ｃ）（１００質量％）中の、芳香族ビニル単量体（ｃ１）の含有率は０．５〜９９．５質量％、（メタ）アクリル酸フェニル又はフェニル基に置換基を有する（メタ）アクリル酸フェニル（ｃ２）の含有率は０．５〜９９．５質量％である。【００５３】
単量体混合物（ｃ）（１００質量％）中の、芳香族ビニル単量体（ｃ１）の含有率が０．５質量％以上であれば、芳香族ポリカーボネート樹脂に対して非相溶となり、成形加工時の流動性を向上させ、成形品の耐薬品性が損なわれない。好ましくは４０質量％以上であり、より好ましくは６０質量％以上である。
単量体混合物（ｃ）（１００質量％）中の、芳香族ビニル単量体（ｃ１）の含有率が９９．５質量％以下であれば、成形品の耐表層剥離性、及び機械的特性が損なわれない。好ましくは９５質量％以下である。【００５４】
単量体混合物（ｃ）（１００質量％）中の、（メタ）アクリル酸フェニル又はフェニル基に置換基を有する（メタ）アクリル酸フェニル（ｃ２）の含有率が０．５質量％以上であれば、成形品の耐表層剥離性、及び機械的特性が損なわれない。好ましくは５質量％以上である。
単量体混合物（ｃ）（１００質量％）中の、（メタ）アクリル酸フェニル又はフェニル基に置換基を有する（メタ）アクリル酸フェニル（ｃ２）の含有率が９９．５質量％以下であれば、芳香族ポリカーボネート樹脂に対して非相溶となり、成形加工時の流動性を向上させ、成形品の耐薬品性が損なわれない。好ましくは６０質量％以下であり、より好ましくは４０質量％以下である。【００５５】
単量体混合物（ｃ）は、必要に応じて、単量体（ｃ１）及び（ｃ２）と共重合可能な、他の単量体（ｃ３）を含有してもよい。
他の単量体（ｃ３）としては、前記の単量体（ａ４）と同様のものを用いることができる。他の単量体（ｃ３）は１種を単独で用いてもよく、２種以上を併用してもよい。【００５６】
単量体混合物（ｃ）（１００質量％）中の、他の単量体（ｃ３）の含有率は０〜４０質量％である。
単量体混合物（ｃ）（１００質量％）中の、他の単量体（ｃ３）の含有率が４０質量％以下であれば、成形加工時の流動性を向上させ、成形品の耐薬品性が損なわれない。【００５７】
重合体（Ｃ）は、芳香族ポリカーボネート樹脂に対して非相溶であり、屈折率は芳香族ポリカーボネート樹脂に近いことが好ましい。
即ち、芳香族ポリカーボネート樹脂のマトリックス中に分散する重合体ドメインの、体積平均ドメイン径（ｄｖ）が、０．０５μｍ以上の相分離として確認される。【００５８】
本発明の重合体（Ｃ）を得るための重合方法としては、重合体（Ａ）と同様の重合方法を用いればよい。【００５９】
重合体（Ｃ）の質量平均分子量は５０００以上であり、１００００以上が好ましく、１５０００以上がより好ましい。また、重合体（Ｃ）の質量平均分子量は２０００００以下であり、１２００００以下が好ましく、１０００００以下がより好ましい。【００６０】
重合体（Ｃ）の質量平均分子量が５０００以上であれば、相対的に低分子量物が少なく、成形品の耐熱性等が損なわれない。また、溶融混練時の発煙等による成形品の外観不良も生じない。
重合体（Ｃ）の質量平均分子量が２０００００以下であれば、芳香族ポリカーボネート樹脂系組成物の溶融粘度が高くならず、溶融流動性の向上効果が得られる。【００６１】
本発明の流動性向上剤は、重合体（Ｃ）を含有してもよい。
重合体（Ｃ）を含有する場合、流動性向上剤中の重合体（Ａ）の含有量は１０〜４５質量部であり、重合体（Ｂ）の含有量は１０〜４５質量部であり、重合体（Ｃ）の含有量は１０〜８０質量部である。但し、重合体（Ａ）〜（Ｃ）の合計は１００質量部である。【００６２】
流動性向上剤（１００質量部）中の、重合体（Ｃ）の含有量が４５質量部以下であれば、成形品の透明性を損なうことなく、成形加工時の流動性をさらに向上させることができる。
また、流動性向上剤は、重合体（Ａ）〜（Ｃ）の屈折率の平均値が芳香族ポリカーボネート樹脂の屈折率に近い比率で、重合体（Ａ）〜（Ｃ）を含有することが好ましい。【００６３】
本発明の流動性向上剤は、芳香族ポリカーボネート樹脂に配合して溶融混練することにより、重合体（Ａ）が有する官能基（Ｘ）と重合体（Ｂ）が有する官能基（Ｙ）とが反応する。官能基（Ｘ）と官能基（Ｙ）との反応により、流動性向上剤は芳香族ポリカーボネート樹脂に対して相分離挙動を示し、成形加工時に流動性の向上効果を発現する。
成形加工後は、芳香族ポリカーボネート樹脂のマトリックス中に、微細化された流動性向上剤のドメインを形成する。これにより、芳香族ポリカーボネート樹脂本来の特性（透明性、耐表層剥離性、耐熱性、耐衝撃性、及び耐薬品性）を損なうことなく、成形加工時の流動性を向上させることができる。【００６４】
本発明の流動性向上剤を、芳香族ポリカーボネート樹脂に配合するには、以下の（I）又は（II）の方法を用いることができる。
（I）：重合体（Ａ）、重合体（Ｂ）、及び必要に応じて重合体（Ｃ）を配合した流動性向上剤を、芳香族ポリカーボネート樹脂と配合して、溶融混練する。
（II）：重合体（Ａ）、重合体（Ｂ）、及び必要に応じて重合体（Ｃ）を配合した流動性向上剤を溶融混練して、官能基（Ｘ）と官能基（Ｙ）を反応させた後、これを芳香族ポリカーボネート樹脂と配合して、さらに溶融混練する。【００６５】
また、重合体（Ａ）を芳香族ポリカーボネート樹脂と配合して溶融混練した後、重合体（Ｂ）を配合して、さらに溶融混練する方法や、流動性向上剤と芳香族ポリカーボネート樹脂のマスターバッチを調製した後、芳香族ポリカーボネート樹脂を配合して溶融混練する方法を用いることもできる。【００６６】
本発明で用いる芳香族ポリカーボネート樹脂は、公知の方法で製造されたものを用いることができる。
芳香族ポリカーボネート樹脂が、２，２−ビス（４−ヒドロキシフェニル）プロパン系ポリカーボネートである場合、その製造方法としては、例えば、２，２−ビス（４−ヒドロキシフェニル）プロパンを原料として用い、アルカリ水溶液及び溶剤の存在下にホスゲンを吹き込んで反応させる方法；２，２−ビス（４−ヒドロキシフェニル）プロパンと炭酸ジエステルとを、触媒の存在下にエステル交換させる方法等が挙げられる。【００６７】
本発明の芳香族ポリカーボネート系樹脂組成物（１００質量％）は、芳香族ポリカーボネート樹脂７０〜９９．９質量％と、本発明の流動性向上剤０．１〜３０質量％とを含有する。
芳香族ポリカーボネート系樹脂組成物（１００質量％）中の、流動性向上剤の含有率は０．５質量％以上が好ましく、１質量％以上がより好ましく、３質量％以上がさらに好ましい。芳香族ポリカーボネート系樹脂組成物（１００質量％）中の、流動性向上剤の含有率は２０質量％以下が好ましい。【００６８】
芳香族ポリカーボネート系樹脂組成物（１００質量％）中の、流動性向上剤の含有率が０．１質量％以上であれば、成形加工時の流動性が十分に向上する。
芳香族ポリカーボネート系樹脂組成物（１００質量％）中の、流動性向上剤の含有率が３０質量％以下であれば、芳香族ポリカーボネート樹脂の機械的特性が損なわれない。【００６９】
本発明の芳香族ポリカーボネート系樹脂組成物は、光拡散剤を含有してもよい。
光拡散剤としては、例えば、硝子充填材、炭酸カルシウム、硫酸バリウム、シリカ、タルク、マイカ、ワラストナイト、酸化チタン等の無機微粒子；非架橋性モノマーと架橋性モノマーとを重合して得られる有機架橋粒子、シリコーン系架橋粒子、ポリエーテルサルホン粒子等の非晶性耐熱ポリマー粒子、エポキシ樹脂粒子、ウレタン樹脂粒子、メラミン樹脂粒子、ベンゾグアナミン樹脂粒子、フェノール樹脂粒子等の高分子微粒子が挙げられる。【００７０】
光拡散剤としては、無機微粒子よりも高分子微粒子の方が好ましい。高分子微粒子を用いることにより、光拡散性と全光線透過率との両立がより高いレベルにおいて実現可能である。
高分子微粒子の屈折率は、通常、１．３３〜１．７程度である。高分子微粒子の屈折率がこの範囲であれば、樹脂組成物に配合した状態において充分な光拡散機能を発揮する。【００７１】
光拡散剤の平均粒子径は、０．０１〜５０μｍが好ましく、０．１〜１０μｍがより好ましく、０．１〜８μｍがさらに好ましい。平均粒子径は、レーザー光散乱法で求められる粒度の積算分布の５０％（Ｄ５０）で表される。
光拡散剤は、粒径分布が狭いものが好ましく、平均粒子径±２μｍの範囲にある微粒子が全体の７０質量％以上となるような分布を有するものがより好ましい。【００７２】
光拡散剤の屈折率と、芳香族ポリカーボネート樹脂の屈折率との差の絶対値は、０．０２〜０．２であることが好ましい。屈折率の差がこの範囲にあることにより、光拡散性と全光線透過率とを高いレベルで両立させることが可能となる。光拡散剤の屈折率は、芳香族ポリカーボネート樹脂の屈折率よりも低いことがより好ましい。【００７３】
光拡散剤を含有する場合、本発明の芳香族ポリカーボネート系樹脂組成物（１００質量％）は、芳香族ポリカーボネート樹脂６９．９〜９９．８質量％と、本発明の流動性向上剤０．１〜３０質量％と、光拡散剤０．１〜３０質量％とを含有する。
芳香族ポリカーボネート系樹脂組成物（１００質量％）中の、光拡散剤の含有率が０．１〜３０質量％であれば、十分な光拡散機能を発現する。【００７４】
本発明の芳香族ポリカーボネート系樹脂組成物には、必要に応じて、公知の安定剤、強化剤、耐衝撃性改質剤、難燃剤等の添加剤を配合してもよい。例えば、成形品の強度、剛性、さらには難燃性を向上させるために、硝子繊維、炭素繊維、チタン酸カリウム繊維等を含有させることができる。さらに、耐薬品性の改良のためにポリエチレンテレフタレート等の他のエンジニアリングプラスチック組成物、耐衝撃性を向上させるために、ゴム状弾性体等を配合してもよい。【００７５】
本発明の芳香族ポリカーボネート系樹脂組成物は、例えば、ヘンシェルミキサー、バンバリーミキサー、単純スクリュー押出機、二軸スクリュー押出機、２本ロール、ニーダー、ブラベンダーを用いて、流動性向上剤、芳香族ポリカーボネート樹脂、及び必要に応じて光拡散剤等を配合し、混練する公知の方法によって調製される。【００７６】
本発明の成形品は、本発明の芳香族ポリカーボネート系樹脂組成物を、射出成形法、押出成形法、圧縮成形法、ブロー成形法、注型成形法等の公知の方法で成形することにより得られる。本発明の芳香族ポリカーボネート系樹脂組成物は、射出成形品の原料として特に有用である。【００７７】
本発明の成形品は、ハードコート品、グレージング材、光拡散板、光ディスク基板、導光板、医療材料、雑貨等の幅広い用途に使用できる。【００７８】
次に本発明のハードコート品について説明する。
本発明のハードコート品は、上述した芳香族ポリカーボネート系樹脂組成物を成形してなる成形品表面にハードコート層が設けられたものである。
ハードコート層は、芳香族ポリカーボネート系樹脂組成物を成形してなる成形品の表面に、ハードコート剤を塗布し、硬化させて形成される。
ハードコート剤としては、例えば、シリコーン樹脂系ハードコート剤、他の有機樹脂系ハードコート剤が挙げられる。【００７９】
シリコーン樹脂系ハードコート剤は、シロキサン結合をもった硬化樹脂層を形成するものである。シリコーン樹脂系ハードコート剤としては、例えば、３官能シロキサン単位に相当する化合物（トリアルコキシシラン化合物等）を主成分とする化合物の部分加水分解縮合物、３官能シロキサン単位に相当する化合物と４官能シロキサン単位に相当する化合物（テトラアルコキシシラン化合物等）とを含む化合物の部分加水分解縮合物、これら部分加水分解縮合物にコロイダルシリカ等の金属酸化物微粒子を充填した部分加水分解縮合物が挙げられる。【００８０】
他の有機樹脂系ハードコート剤としては、例えば、メラミン樹脂、ウレタン樹脂、アルキド樹脂、アクリル樹脂、多官能アクリル樹脂が挙げられる。これらのうち、ウレタン（メタ）アクリレート、エポキシ（メタ）アクリレート、ポリエステル（メタ）アクリレート、コロイダルシリカと（メタ）アクリロイルアルコキシシランとを縮合して得られる有機無機ハイブリッド（メタ）アクリレート等の単官能（メタ）アクリレートまたは多官能（メタ）アクリレート；有機無機ハイブリッドビニル化合物等のモノマーまたはオリゴマーが好ましい。【００８１】
ハードコート剤の成形品への塗布は、バーコート法、ディップコート法、フローコート法、スプレーコート法、スピンコート法、ローラーコート法等の公知の塗布方法のから、成形品の形状に応じた塗布方法を適宜選択して行なうことができる。これらのうち、複雑な形状に対応しやすく、かつ膜厚制御の容易さの点で、ディップコート法、フローコート法、およびスプレーコート法が好ましい。
ハードコート剤の硬化は、有機溶剤を使用している場合には有機溶媒を揮発させ、その後、これに紫外線、電子線等の活性エネルギー線を照射および／または加熱することにより行なうことができる。【００８２】
以上説明したハードコート品は、芳香族ポリカーボネート樹脂本来の特性（透明性、耐表層剥離性、耐熱性、耐衝撃性、及び耐薬品性）を損なうことなく、高い溶融流動性を備えた芳香族ポリカーボネート系樹脂組成物からなるため、成形加工性に優れる。
本発明のハードコート品は、透明性、耐熱性、耐衝撃性、外観に優れることから、各種電子・電気機器、ＯＡ機器、車両部品、機械部品、農業資材、漁業資材、搬送容器、包装容器、遊戯具、雑貨等の各種用途に有用である。また、大型化、軽量薄肉化、形状複雑化、高性能化が可能であることから、フロントドアウインドウ（ウインドシールド）、リアドアウインドウ、クォーターウインドウ、バックウインドウ、バックドアウインドウ、サンルーフ、ルーフパネル、各種窓材等の建築・車両用グレージング材に好適である。【００８３】
次に本発明の光拡散板について説明する。
本発明の光拡散板は、上述した樹脂組成物から、通常、公知の射出成形法により製造される。
本発明の芳香族ポリカーボネート系樹脂組成物は、とりわけ大型かつ薄肉の光拡散板（特に画像表示装置用光拡散板）の製造に適している。本発明の芳香族ポリカーボネート系樹脂組成物によれば、表面積が５００〜５００００ｃｍ2 である光拡散板が得られる。光拡散板の表面積は１０００〜２５０００ｃｍ2 が好ましく、厚さは０．３〜３ｍｍが好ましい。このように、本発明の芳香族ポリカーボネート系樹脂組成物によれば、大型であり、寸法安定性が高く、かつ薄肉（軽量）である光拡散板を製造できる。【００８４】
光拡散板は、フレネルレンズ形状、シリンドリカルレンズ形状等の表面形状を有する単層板であってもよく、フレネルレンズ形状、シリンドリカルレンズ形状等の表面形状を有する他の材料を光拡散板に積層した積層板であってもよい。【００８５】
以上説明した光拡散板は、芳香族ポリカーボネート樹脂本来の特性（透明性、耐表層剥離性、耐熱性、耐衝撃性、及び耐薬品性）を損なうことなく、高い溶融流動性を備えた芳香族ポリカーボネート系樹脂組成物からなるため、成形加工性に優れる。
また、本発明の光拡散板は耐薬品性に優れることから、表面改質を施すことができ、結果、他の機能を付与することができる。「表面改質」とは、蒸着（物理蒸着、化学蒸着等）、メッキ（電気メッキ、無電解メッキ、溶融メッキ等）、塗装、コーティング、印刷等によって光拡散性成形品の表面に新たな層を設けることをいう。【００８６】
次に本発明の光ディスク基板について説明する。
本発明の光ディスク基板は、上述した樹脂組成物から、通常、公知の射出成形法（射出圧縮成形法を含む。）などの溶融成形により製造されるものであるが、特に、上述の樹脂組成物は高い溶融流動性を備え、転写性などの成形加工性に優れているため、本発明の光ディスク基板としては、スタンパーを使用した射出成形法により、その片面または両面にグルーブやピットが転写されるものに好適であり、通常の記録密度から高い記録密度まで幅広く対応可能である。【００８７】
使用される射出成形機およびスタンパーとしては、一般的なものでよいが、射出成形機のシリンダーやスクリューには、樹脂組成物由来の炭化物の発生を抑制し、光ディスク基板の信頼性を高める観点から、樹脂組成物との付着性が低く、かつ耐食性、耐摩耗性を有する材料から構成されたものを使用することが好ましい。
また、成形工程の環境は、本発明の目的から考えて、可能な限りクリーンであることが好ましく、さらに、成形前には、樹脂組成物を十分乾燥して水分を除去することや、樹脂組成物が成形機内で滞留して、溶融分解しないように配慮することも重要となる。【００８８】
光ディスクは、上述の樹脂組成物からなる光ディスク基板を備えているものであれば、その具体的な積層構成には制限はなく、光ディスク基板の片面あるいは両面に、反射膜、記録層、光透過層などが必要に応じて積層された形態が例示できる。【００８９】
以上説明した光ディスク基板は、芳香族ポリカーボネート樹脂本来の特性（透明性、耐表層剥離性、耐熱性、耐衝撃性、及び耐薬品性）を損なうことなく、高い溶融流動性を備えた芳香族ポリカーボネート系樹脂組成物からなるため、転写性等の成形加工性が良好で、さらに、成形品の複屈折率も改善されている。よって、このような光ディスク基板は、オーディオ用のＣＤ（直径１２ｃｍのディスク当り約６５０ＭＢの記録密度）から高密度のディスクまで適用可能である。【００９０】
次に本発明の導光板について説明する。
本発明の導光板は、上述した樹脂組成物から、通常、公知の射出成形法により製造される。導光板の具体的な形状には特に制限はないが、上述の樹脂組成物は高い溶融流動性を備え、射出成形用金型のキャビティに形成された細かい凹凸を良好に転写することができる。よって、一面が一様な傾斜の傾斜面とされ、この傾斜面に連続したプリズム形状の凹凸パターンが施され乱反射部とされた楔形断面形状の導光板が好ましく例示できる。このような導光板は、キャビティに凹凸部が形成された射出成形用金型を用い、凹凸部を転写しつつ射出成形することで製造できる。なお、射出成形用金型のキャビティに凹凸部を設ける方法としては、入れ子に凹凸部を形成する方法が簡便で好ましい。【００９１】
このような導光板と、この導光板に向けて光を射出する光源とを少なくとも備えることにより、携帯電話、携帯端末、カメラ、時計、ノートパソコン、ディスプレイ、照明、信号、自動車のテールランプ、電磁調理器の火力表示などに使用されるエッジ式の面光源体を構成できる。光源としては、蛍光ランプの他、冷陰極管、ＬＥＤ、有機ＥＬなどの自己発光体を使用できる。【００９２】
以上説明した導光板は、芳香族ポリカーボネート樹脂本来の特性（透明性、耐表層剥離性、耐熱性、耐衝撃性、及び耐薬品性）を損なうことなく、高い溶融流動性を備えた芳香族ポリカーボネート系樹脂組成物からなるため、使用環境が制限されることなく、幅広い用途に使用できるうえ、射出成形用金型のキャビティに形成された細かい凹凸などが十分に転写され、良好に成形され、輝度の低下などの問題が抑制されている。よって、このような導光板を使用することにより、高性能で工業的価値の高い面光源体を提供できる。
【実施例１】
【００９３】
以下、実施例により本発明をさらに具体的に説明するが、本発明はこれら実施例に限定されるものではない。
実施例中の「部」及び「％」は、それぞれ「質量部」及び「質量％」を表す。【００９４】
（重合率の測定）
以下の手順により、重合体の重合率を測定した。
１）アルミ皿の質量を０．１ｍｇの単位まで測定する。（Ａ）
２）アルミ皿に重合体を約１ｇ取り、質量を０．１ｍｇの単位まで測定する。（Ｂ）
３）重合体の入ったアルミ皿を１８０℃の乾燥機に入れ、４５分間加熱する。
４）重合体の入ったアルミ皿を乾燥機から取出し、デシケーター内で室温まで冷却した後、質量を０．１ｍｇの単位まで測定する。（Ｃ）
５）下記式により、重合体の固形分を算出する。
（Ｃ−Ａ）／（Ｂ−Ａ）×１００［％］
６）算出した固形分を、仕込み時の固形分で割り、重合体の重合率を算出する。【００９５】
（質量平均分子量（Ｍｗ）及び数平均分子量（Ｍｎ）の測定）
以下の手順により、重合体の（Ｍｗ）及び（Ｍｎ）を測定した。
ゲル浸透クロマトグラフィーを用いて、標準ポリスチレンによる検量線から求めた。測定条件は以下のとおり。
カラム      ：ＴＳＫ−ＧＥＬ  ＳＵＰＥＲ  ＨＺＭ−Ｎ（東ソー（株）製）
測定温度    ：４０℃
溶離液      ：クロロホルム
溶離液速度  ：０．６ｍｌ／分
検出器      ：ＲＩ【００９６】
（エポキシ基量の測定）
以下の手順により、重合体（Ａ）のエポキシ基量を測定した。
１）ブランクの測定
１−１）下記の溶液Ａをホールピペットで１０ｍｌ採取し、１００ｍｌの共栓付き三角フラスコに入れる。
溶液Ａ：０．１Ｎ塩酸（テトラヒドロフラン／エタノール＝１／１）溶液
１−２）採取した溶液Ａを、フェノールフタレインを指示薬として下記の溶液Ｂで滴定する。微紅色が３０秒間続いた点を滴定の終点とし、このときの溶液Ｂの滴定量をＸ（ｍｌ）とする。
溶液Ｂ：０．１Ｎ水酸化カリウム（アルコール性）溶液【００９７】
２）重合体（Ａ）の測定
２−１）１００ｍｌの共栓付き三角フラスコに、重合体（Ａ）を４〜７ｇの範囲でＷ（ｇ）を取る。ここにテトラヒドロフラン（ＴＨＦ）３０ｍｌを加え、重合体（Ａ）を溶解する。
２−２）重合体（Ａ）の溶液が入った三角フラスコに、溶液Ａをホールピペットで１０ｍｌ採取して加える。
２−３）該三角フラスコに冷却管を取り付け、６０℃で５分間加熱する。
２−４）該三角フラスコを冷却した後、フェノールフタレインを指示薬として溶液Ｂで滴定する。微紅色が３０秒間続いた点を滴定の終点とし、このときの溶液Ｂの滴定量をＹ（ｍｌ）とする。
２−５）下記式により、重合体（Ａ）のエポキシ基量を小数点以下第１位まで算出する（式中のｆは溶液Ｂの力価を示す）。
エポキシ基量＝ｆ×０．１×（（Ｘ−Ｙ）／１０００）／Ｗ×１０００（ｍｍｏｌ／ｇ）【００９８】
（カルボキシル基量の測定）
以下の手順により、重合体（Ｂ）のカルボキシル基量を測定した。
１）２００ｍｌの共栓付き三角フラスコに、重合体（Ｂ）を１２〜１５ｇの範囲でＶ（ｇ）を取る。ここにＴＨＦ１００ｍｌを加え、重合体（Ｂ）を溶解する。
２）重合体（Ｂ）の溶液を、フェノールフタレインを指示薬として上記の溶液Ｂで滴定する。微紅色が３０秒間続いた点を滴定の終点とし、このときの溶液Ｂの滴定量をＺ（ｍｌ）とする。
３）下式により、重合体（Ｂ）のカルボキシル基量を小数点以下第１位まで算出する（式中のｆは溶液Ｂの力価を示す）。
カルボキシル基量＝ｆ×０．１×（Ｚ／１０００）／Ｖ×１０００（ｍｍｏｌ／ｇ）【００９９】
（重合体の相溶性）
芳香族ポリカーボネート樹脂に対する重合体の相溶性は、以下のようにして確認した。
芳香族ポリカーボネート樹脂（パンライトＬ−１２２５ＷＳ、帝人化成（株）製）９５部に重合体５部を配合し、射出成形機（ＩＳ−１００、東芝機械（株）製）を用いて、成形温度２８０℃、金型温度８０℃で、縦５０ｍｍ×横５０ｍｍ×厚さ２ｍｍの試験片を作製した。【０１００】
凍結ミクロトームで試験片の中心部から薄片を切り出し、該薄片を、四酸化ルテニウム又は四酸化オスミウムを用いて染色して試料を得た。染色剤は、重合体に含まれる官能基の種類に応じて最適なものを選択した。
得られた試料のＴＥＭ写真（倍率：５０００倍）を撮影し、芳香族ポリカーボネート樹脂中に分散する重合体の体積平均ドメイン径（ｄｖ）を測定した。【０１０１】
＜製造例１＞
重合体（Ａ−１）の製造
温度計、窒素導入管、冷却管及び攪拌装置を備えたセパラブルフラスコに、下記の乳化剤混合物を投入して攪拌し、窒素雰囲気下で内温を６０℃まで加熱した。
乳化剤混合物：
フォスファノールＲＳ−６１０Ｎａ                          １．０部
（花王（株）製、アニオン系乳化剤）
脱イオン水                                                ２９３部【０１０２】
次いで、下記の還元剤混合物をセパラブルフラスコ内に投入した。
還元剤混合物：
硫酸第一鉄                                          ０．０００１部
エチレンジアミン四酢酸二ナトリウム塩                ０．０００３部
ロンガリット                                              ０．３部
脱イオン水                                                    ５部【０１０３】
下記の単量体混合物を１８０分かけてセパラブルフラスコ内に滴下し、その後６０分間攪拌して重合を終了し、重合体（Ａ−１）ラテックスを得た。
単量体混合物：
スチレン                                                ５５．０部
α―メチルスチレン                                        ２４．０部
フェニルメタクリレート                                  ２０．０部
グリシジルメタクリレート                                  １．０部
ｎ−オクチルメルカプタン                                  ０．５部
ｔ−ブチルハイドロパーオキサイド                          ０．２部【０１０４】
酢酸カルシウム５部を溶解した水溶液６２５部を８３℃に加温し攪拌した。ここに、得られた重合体（Ａ−１）ラテックスを徐々に滴下した。次いで、９１℃に昇温して５分間保持し、ラテックスの凝固を行なった。凝固物を分離洗浄後、７５℃で２４時間乾燥して、重合体（Ａ−１）を得た。
重合体（Ａ−１）の重合率は９５％、（Ｍｗ）は５２０００、（Ｍｎ）は２３０００、エポキシ基量は０．０４ｍｍｏｌ／ｇであった。
芳香族ポリカーボネート樹脂中での重合体（Ａ−１）の（ｄｖ）は０．４μｍであり、芳香族ポリカーボネート樹脂に対して非相溶であった。【０１０５】
＜製造例２＞
重合体（Ａ’）の製造
単量体混合物を下記の組成に変更した以外は、製造例１と同様にして重合体（Ａ’）を得た。
単量体混合物：
スチレン                                                ５０．０部
α―メチルスチレン                                        ２４．０部
フェニルメタクリレート                                  ２０．０部
グリシジルメタクリレート                                  ６．０部
ｎ−オクチルメルカプタン                                  ０．５部
ｔ−ブチルハイドロパーオキサイド                          ０．２部【０１０６】
重合体（Ａ’）の重合率は９５％、（Ｍｗ）は５２０００、（Ｍｎ）は２３０００、エポキシ基量は０．３５ｍｍｏｌ／ｇであった。
芳香族ポリカーボネート樹脂中での重合体（Ａ’）の（ｄｖ）は０．４μｍであり、芳香族ポリカーボネート樹脂に対して非相溶であった。【０１０７】
＜製造例３＞
重合体（Ｂ−１）の製造
温度計、窒素導入管、冷却管及び攪拌装置を備えたセパラブルフラスコに、下記の乳化剤混合物を投入して攪拌し、窒素雰囲気下で内温を６０℃まで加熱した。
乳化剤混合物：
ペレックスＳＳ−Ｌ                                        ３．０部
（花王（株）製  アニオン系乳化剤）
脱イオン水                                                ２９１部【０１０８】
次いで、下記の還元剤混合物をセパラブルフラスコ内に投入した。
還元剤混合物：
硫酸第一鉄                                          ０．０００１部
エチレンジアミン四酢酸二ナトリウム塩                ０．０００３部
ロンガリット                                              ０．３部
脱イオン水                                                    ５部【０１０９】
下記の単量体混合物を１８０分かけてセパラブルフラスコ内に滴下し、その後６０分間攪拌して重合を終了し、重合体（Ｂ−１）ラテックスを得た。
単量体混合物：
フェニルメタクリレート                                １００．０部
３−メルカプトプロピオン酸                                １．０部
ｔ−ブチルハイドロパーオキサイド                          ０．２部【０１１０】
酢酸カルシウム５部を溶解した水溶液６２５部を８３℃に加温し攪拌した。ここに、得られた重合体（Ｂ−１）ラテックスを徐々に滴下した。次いで、９１℃に昇温して５分間保持し、ラテックスの凝固を行なった。凝固物を分離洗浄後、７５℃で２４時間乾燥して、重合体（Ｂ−１）を得た。
重合体（Ｂ−１）の重合率は９９％、（Ｍｗ）は３２０００、（Ｍｎ）は９０００、カルボキシル基量は０．０７ｍｍｏｌ／ｇであった。
芳香族ポリカーボネート樹脂中での重合体（Ｂ−１）のドメインは観察されず、芳香族ポリカーボネート樹脂に対して相溶であった。【０１１１】
＜製造例４＞
重合体（Ｂ−２）の製造
単量体混合物を下記の組成に変更した以外は、製造例３と同様にして重合体（Ｂ−２）を得た。
単量体混合物：
フェニルメタクリレート                                １００．０部
３−メルカプトプロピオン酸                                ３．０部
ｔ−ブチルハイドロパーオキサイド                          ０．２部【０１１２】
重合体（Ｂ−２）の重合率は９９％、（Ｍｗ）は１４０００、（Ｍｎ）は２０００、カルボキシル基量は０．２ｍｍｏｌ／ｇであった。
芳香族ポリカーボネート樹脂中での重合体（Ｂ−２）のドメインは観察されず、芳香族ポリカーボネート樹脂に対して相溶であった。【０１１３】
＜製造例５＞
重合体（Ｂ−３）の製造
単量体混合物を下記の組成に変更した以外は、製造例３と同様にして重合体（Ｂ−３）を得た。
単量体混合物：
フェニルメタクリレート                                  ７５．０部
メチルメタクリレート                                    ２５．０部
３−メルカプトプロピオン酸                                ３．０部
ｔ−ブチルハイドロパーオキサイド                          ０．２部【０１１４】
重合体（Ｂ−３）の重合率は９９％、（Ｍｗ）は１４０００、（Ｍｎ）は２０００、カルボキシル基量は０．２ｍｍｏｌ／ｇであった。
芳香族ポリカーボネート樹脂中での重合体（Ｂ−３）のドメインは観察されず、芳香族ポリカーボネート樹脂に対して相溶であった。【０１１５】
＜製造例６＞
重合体（Ｂ’）の製造
単量体混合物を下記の組成に変更した以外は、製造例３と同様にして重合体（Ｂ’）を得た。
単量体混合物：
フェニルメタクリレート                                １００．０部
ｎ−オクチルメルカプタン                                  １．０部
ｔ−ブチルハイドロパーオキサイド                          ０．２部【０１１６】
重合体（Ｂ’）の重合率は９９％、（Ｍｗ）は３２０００、（Ｍｎ）は９０００、カルボキシル基量は０．０ｍｍｏｌ／ｇであった。
芳香族ポリカーボネート樹脂中での重合体（Ｂ’）のドメインは観察されず、芳香族ポリカーボネート樹脂に対して相溶であった。【０１１７】
＜製造例７＞
重合体（Ｃ−１）の製造
温度計、窒素導入管、冷却管及び攪拌装置を備えたセパラブルフラスコに、下記の乳化剤混合物を投入して攪拌し、窒素雰囲気下で内温を６０℃まで加熱した。
乳化剤混合物：
フォスファノールＲＳ−６１０Ｎａ                          １．０部
（花王（株）製  アニオン系乳化剤）
脱イオン水                                                ２９３部【０１１８】
次いで、下記の還元剤混合物をセパラブルフラスコ内に投入した。
還元剤混合物：
硫酸第一鉄                                          ０．０００１部
エチレンジアミン四酢酸二ナトリウム塩                ０．０００３部
ロンガリット                                              ０．３部
脱イオン水                                                    ５部【０１１９】
下記の単量体混合物を１８０分かけてセパラブルフラスコ内に滴下し、その後６０分間攪拌して重合を終了し、重合体（Ｃ−１）ラテックスを得た。
単量体混合物：
スチレン                                                ６６．０部
α―メチルスチレン                                        ２４．０部
フェニルメタクリレート                                  １０．０部
ｎ−オクチルメルカプタン                                  ０．５部
ｔ−ブチルハイドロパーオキサイド                          ０．２部【０１２０】
酢酸カルシウム５部を溶解した水溶液６２５部を８３℃に加温し攪拌した。ここに、得られた重合体（Ｃ−１）ラテックスを徐々に滴下した。次いで、９１℃に昇温して５分間保持し、ラテックスの凝固を行なった。凝固物を分離洗浄後、７５℃で２４時間乾燥して、重合体（Ｃ−１）を得た。
重合体（Ｃ−１）の重合率は９５％、（Ｍｗ）は５２０００、（Ｍｎ）は２３０００であった。
芳香族ポリカーボネート樹脂中での重合体（Ｃ−１）の（ｄｖ）は０．４μｍであり、芳香族ポリカーボネート樹脂に対して非相溶であった。【０１２１】
＜製造例８＞
重合体（Ｃ−２）の製造
単量体混合物を下記の組成に変更した以外は、製造例７と同様にして重合体（Ｃ−２）を得た。
単量体混合物：
スチレン                                                ５１．０部
α―メチルスチレン                                        ２４．０部
フェニルメタクリレート                                  ２５．０部
ｎ−オクチルメルカプタン                                  １．０部
ｔ−ブチルハイドロパーオキサイド                          ０．２部【０１２２】
重合体（Ｃ−２）の重合率は９５％、（Ｍｗ）は２５０００、（Ｍｎ）は１３０００であった。
芳香族ポリカーボネート樹脂中での重合体（Ｃ−２）の（ｄｖ）は０．４μｍであり、芳香族ポリカーボネート樹脂に対して非相溶であった。【０１２３】
＜製造例９＞
重合体（Ｃ−３）の製造
単量体混合物を下記の組成に変更した以外は、製造例７と同様にして重合体（Ｃ−３）を得た。
単量体混合物：
スチレン                                                ４８．５部
α―メチルスチレン                                        ２４．０部
フェニルメタクリレート                                  ２７．５部
ｎ−オクチルメルカプタン                                ０．５５部
ｔ−ブチルハイドロパーオキサイド                          ０．２部【０１２４】
重合体（Ｃ−３）の重合率は９５％、（Ｍｗ）は４５０００、（Ｍｎ）は２１０００であった。
芳香族ポリカーボネート樹脂中での重合体（Ｃ−３）の（ｄｖ）は０．４μｍであり、芳香族ポリカーボネート樹脂に対して非相溶であった。【０１２５】
＜製造例１０＞
重合体（Ｃ−４）の製造
単量体混合物を下記の組成に変更した以外は、製造例７と同様にして重合体（Ｃ−４）を得た。
単量体混合物：
スチレン                                                ８７．５部
フェニルメタクリレート                                  １２．５部
ｎ−オクチルメルカプタン                                  ０．５部
ｔ−ブチルハイドロパーオキサイド                          ０．２部【０１２６】
重合体（Ｃ−４）の重合率は９５％、（Ｍｗ）は４９０００、（Ｍｎ）は２２０００であった。
芳香族ポリカーボネート樹脂中での重合体（Ｃ−４）の（ｄｖ）は０．４μｍであり、芳香族ポリカーボネート樹脂に対して非相溶であった。【０１２７】
＜実施例１〜７、比較例１〜４＞
表１に示した割合で、重合体（Ａ）、重合体（Ｂ）、及び必要に応じて重合体（Ｃ）を配合し、流動性向上剤（１）〜（１１）を調製した。【０１２８】
【表１】
2008081791.tif 000002
【０１２９】
＜実施例８、実施例１０〜１５、比較例５〜９＞
芳香族ポリカーボネート樹脂（パンライトＬ−１２２５ＷＳ、帝人化成（株）製）、及び流動性向上剤（１）〜（１１）を表２に示す割合で配合し、２軸押出機（ＴＥＭ−３５、東芝機械（株）製）に供給し、２８０℃で溶融混練して芳香族ポリカーボネート系樹脂組成物を得た。
芳香族ポリカーボネート樹脂への流動性向上剤の配合は、前記の（Ｉ）の方法を用いた。【０１３０】
＜実施例９＞
流動性向上剤（１）を、２軸押出機（ＴＥＭ−３５、東芝機械（株）製）に供給し、２００℃で溶融混練して、重合体（Ａ−１）と重合体（Ｂ−１）を予め反応させた。重合体（Ａ−１）と重合体（Ｂ−１）が反応したことは、エポキシ基量及びカルボキシル基量の測定により確認した。
重合体（Ａ−１）と重合体（Ｂ−１）を配合した段階で、流動性向上剤（１）のエポキシ基量は０．０２ｍｍｏｌ／ｇ、カルボキシル基量は０．０３５ｍｍｏｌ／ｇであった。溶融混練後には、エポキシ基量０．００ｍｍｏｌ／ｇ、カルボキシル基量０．０１５ｍｍｏｌ／ｇとなり、流動性向上剤（１）中のエポキシ基とカルボキシル基が定量的に反応したことを確認した。【０１３１】
上記の操作により、流動性向上剤（１）が含有する重合体（Ａ−１）と重合体（Ｂ−１）を予め反応させた後、表２に示す割合で芳香族ポリカーボネート樹脂（パンライトＬ−１２２５ＷＳ、帝人化成（株）製）と配合し、２軸押出機（ＴＥＭ−３５、東芝機械（株）製）に供給し、２８０℃で溶融混練して芳香族ポリカーボネート系樹脂組成物を得た。
芳香族ポリカーボネート樹脂への流動性向上剤の配合は、前記の（ＩＩ）の方法を用いた。【０１３２】
実施例８〜１５及び比較例５〜９で得られた芳香族ポリカーボネート系樹脂組成物を用いて、以下の評価を行なった。【０１３３】
（溶融流動性）
樹脂組成物のスパイラルフロー長さを、射出成形機（ＩＳ−１００、東芝機械（株）製）を用いて評価した。
成形温度２８０℃、金型温度８０℃、射出圧力９８ＭＰａとし、成形品の肉厚は２ｍｍ、幅は１５ｍｍとした。評価結果を表２に示す。【０１３４】
（滞留劣化）
樹脂組成物の滞留劣化を以下のようにして評価した。
射出成形機（ＩＳ−１００、東芝機械（株）製）のシリンダー内に樹脂組成物を２８０℃で５分間滞留させた後、スパイラルフロー長さを測定した。スパイラルフロー長さの評価条件は溶融流動性の項に記載の条件と同様である。
以下の基準により、滞留劣化を評価した。評価結果を表２に示す。
○：スパイラルフロー長さが、溶融流動性の値に対して５％未満の変化
×：スパイラルフロー長さが、溶融流動性の値に対して５％以上変化【０１３５】
（ヘーズ）
成形品の透明性を、ヘーズにより評価した。
射出成形機（ＩＳ−１００、東芝機械（株）製）を用いて樹脂組成物を成形し、縦１５０ｍｍ×横１００ｍｍ×厚さ３ｍｍの成形品を得た。成形品のアニール処理を１２０℃×２時間で行ない、評価に用いた。
ヘーズはＩＳＯ−１４７８２に準拠して２３℃で測定した。評価結果を表２に示す。【０１３６】
（耐表層剥離性）
溶融流動性と同じ条件で成形した成形品の突き出しピン跡にカッターで切り込みを入れ、表層の剥離状態を目視観察した。
以下の基準により、耐表層剥離性を評価した。評価結果を表２に示す。
○：表層剥離が見られない
×：表層剥離が見られる【０１３７】
（荷重たわみ温度）
成形品の耐熱性を、荷重たわみ温度により評価した。
射出成形機（ＩＳ−１００、東芝機械（株）製）を用いて樹脂組成物を成形し、縦８０ｍｍ×横１０ｍｍ×厚さ４ｍｍの成形品を得た。成形品のアニール処理を１２０℃×２時間で行ない、評価に用いた。
荷重たわみ温度はＩＳＯ７５−２に準拠して測定した。荷重は１．８２ＭＰａとした。評価結果を表２に示す。【０１３８】
（デュポン衝撃試験）
成形品の耐衝撃性を、デュポン衝撃試験により評価した。
射出成形機（ＩＳ−１００、東芝機械（株）製）を用いて樹脂組成物を成形し、縦１００ｍｍ×横５０ｍｍ×厚さ２ｍｍの成形品を得た。
デュポン衝撃試験はＡＳＴＭ  Ｄ２７９４に準拠して測定した。評価結果を表２に示す。【０１３９】
（耐薬品性試験）
成形品の耐薬品性を、カンチレバー試験により評価した。
射出成形機（ＩＳ−１００、東芝機械（株）製）を用いて樹脂組成物を成形し、縦１５０ｍｍ×横２５ｍｍ×厚さ２ｍｍの成形品を得た。成形品のアニール処理を１２０℃で行ない、評価に用いた。試験環境は２３℃×５０％ＲＨである。
以下の手順により、カンチレバー試験を実施した。評価結果を表２に示す。
１）成形品の端部及び該端部から約３０ｍｍの位置（支点）の２点で、成形品を支える。端部では成形品を上から支え、支点では成形品を下から支える。このとき、端部及び支点は成形品の長さ方向に対して直角方向の線で成形品と接し（面で接するものではない）、成形品を水平に保つ。
２）成形品のもう一方の端部に、規定の荷重を載せる。成形品にかける応力は２０ＭＰａであり、荷重は以下の計算により求める。
応力（ＭＰａ）＝６ＬＷ／ｂｈ２
Ｌ：支点から荷重までの距離（ｍ）
Ｗ：荷重（Ｎ）
ｂ：成形品の幅（ｍ）
ｈ：成形品の厚さ（ｍ）
３）成形品の支点の上面（支点の反対側の面）に、１０ｍｍ角の濾紙を載せ、ガソリンを含ませる（ガソリンが濾紙から流れ出ないようにする）。ガソリンは揮発するため、定期的にガソリンを補充する。
４）ガソリンを濾紙に含ませてから成形品が破断するまでの時間（秒）を、ストップウォッチで測定する。【０１４０】
【表２】
2008081791.tif 000003
【０１４１】
表２から明らかなように、実施例８〜１５で得られた芳香族ポリカーボネート系樹脂組成物の成形品は、芳香族ポリカーボネート樹脂本来の特性（透明性、耐表層剥離性、耐熱性、耐衝撃性及び耐薬品性）を損なうことなく、成形加工時の流動性が向上した。
芳香族ポリカーボネート樹脂に非相溶で、官能基（Ｘ）としてエポキシ基を有する重合体（Ａ−１）を単独で用いた比較例５は、透明性及び耐衝撃性が低下し、未反応のエポキシ基を有するために滞留劣化が生じた。【０１４２】
芳香族ポリカーボネート樹脂に非相溶で、官能基を持たない重合体（Ｃ−４）を単独で用いた比較例６は、成形加工時の流動性及び耐薬品性が向上したが、透明性、耐表層剥離性及び耐衝撃性が低下した。
重合体（Ａ）と重合体（Ｂ）との組み合わせで、官能基（Ｘ）としてエポキシ基が過剰に存在する流動性向上剤を用いた比較例７は、透明性及び耐衝撃性が低下し、未反応のエポキシ基を有するために滞留劣化が生じた。【０１４３】
重合体（Ａ）と重合体（Ｂ）との組み合わせで、重合体（Ｂ）が官能基（Ｙ）を持たない流動性向上剤を用いた比較例８は、透明性及び耐衝撃性が低下し、未反応のエポキシ基を有するために滞留劣化が生じた。
本発明の流動性向上剤を配合していない比較例９は、実施例８〜１５に比較して流動性が低かった。【０１４４】
＜実施例１６、比較例１０、１１＞
芳香族ポリカーボネート樹脂（パンライトＬ−１２２５ＷＳ、パンライトＬ−１２２５ＺＬ−１００、いずれも帝人化成（株）製）、及び流動性向上剤（５）を表３に示す割合で配合し、２軸押出機（ＴＥＭ−３５、東芝機械（株）製）に供給し、２８０℃で溶融混練して芳香族ポリカーボネート系樹脂組成物を得た。
芳香族ポリカーボネート樹脂への流動性向上剤の配合は、前記の（Ｉ）の方法を用いた。
射出成形機（ＩＳ−１００、東芝機械（株）製）を用いて樹脂組成物を成形し、縦１００ｍ×横１００ｍｍ×厚さ２ｍｍの成形品を得た。【０１４５】
下記の被覆材組成物を調製し、硬化後の塗膜が８μｍになるように、成形品にスプレー塗装した。
被覆材組成物：
ジペンタエリストールペンタアクリレート                      ４０部
ＵＡ１                                                      ２４部
（ジシクロヘキシルメタンジイソシアネート２ｍｏｌ、ノナブチレングリコール１ｍｏｌ、及び２−ヒドロキシエチルアクリレート２ｍｏｌの反応により得た、分子量２，５００のウレタンアクリレート）
トリス（２−アクリロイルオキシエチル）イソシアヌレート      ２３部
２−（２−ヒドロキシ−５−ｔ−ブチルフェニル）ベンゾトリアゾール
９部
ビス（１−オクトキシ−２，２，６，６−テトラメチル−４−ピペリジニル）セバケート
１部
ベンゾフェノン                                                ３部
（以下は、有機溶剤成分）
イソブタノール                                            １４０部
酢酸ノルマルブチル                                          ５０部
ブチルセロソルブ                                            ２０部
酢酸セルソルブ                                              １０部【０１４６】
スプレー塗装後の成形品を加熱して、被覆材組成物中の有機溶剤成分を揮発させた後、空気中で高圧水銀ランプを用い、波長３４０〜３８０ｎｍの積算光量が３０００ｍＪ／ｃｍ２の紫外線を照射して、成形品の表面に硬化塗膜（ハードコート層）を形成した。
ハードコート層を形成した成形品、及びハードコート層を形成していない成形品について、以下の評価を行なった。【０１４７】
（計装化面衝撃試験）
以下の条件で、成形品の計装化面衝撃試験を測定した。評価結果を表３に示す。
装置      ：高速衝撃試験機  ハイドロショットＨＴＭ−１（（株）島津製作所製）
撃芯径    ：１／２インチ
受け台の径：３インチ
ポンチ速度：１ｍ／秒【０１４８】
（耐候性試験）
ブラックパネル温度：６３℃、湿度：５０％、降雨ありの条件で、ＩＳＯ−４８９２に準拠して耐候性試験を実施した。
試験前と１５００時間後の成形品のＹＩを、ＪＩＳ−Ｋ７１０５に準拠して測定した。評価結果を表３に示す。【０１４９】
【表３】
2008081791.tif 000004
【０１５０】
表３から明らかなように、本発明の流動性向上剤を配合した実施例１６の成形品は、本発明の流動性向上剤を配合していない比較例１０及び１１の成形品に対して、ハードコート層形成後の面衝撃性に優れ、耐候性を損なわないことが確認された。【０１５１】
＜実施例１７、１８、比較例１２、１３＞
芳香族ポリカーボネート樹脂（パンライトＬ−１２２５ＷＳ、帝人化成（株）製）、流動性向上剤（６）、及び光拡散剤を表４に示す割合で配合し、２軸押出機（ＴＥＭ−３５、東芝機械（株）製）に供給し、２８０℃で溶融混練して芳香族ポリカーボネート系樹脂組成物を得た。
芳香族ポリカーボネート樹脂への流動性向上剤の配合は、前記の（Ｉ）の方法を用いた。
ここで、光拡散剤には以下のものを用いた。
アクリル系光拡散剤  ：テクポリマーＭＢＸ−５（５μｍ）、積水化成品工業（株）製
シリコーン系光拡散剤：トスパール１２０（２μｍ）、ＧＥ東芝シリコーン（株）製
得られた芳香族ポリカーボネート系樹脂組成物を用いて、以下の評価を行なった。【０１５２】
（溶融流動性）
前述の方法に従い、樹脂組成物の溶融流動性を評価した。評価結果を表４に示す。【０１５３】
（光拡散率）
成形品の光拡散率を以下のようにして評価した。
射出成形機（ＩＳ−１００、東芝機械（株）製）を用いて樹脂組成物を成形し、縦１００ｍ×横１００ｍｍ×厚さ２ｍｍの成形品（光拡散板）を得た。
ゴニオメーター（ＧＰ−２００、（株）村上色彩技術研究所製）を用いて、ＤＩＮ５０３６に準拠して光拡散率を測定した。評価結果を表４に示す。【０１５４】
（デュポン衝撃試験）
成形品の耐衝撃性を、デュポン衝撃試験により評価した。
射出成形機（ＩＳ−１００、東芝機械（株）製）を用いて樹脂組成物を成形し、縦１００ｍｍ×横５０ｍｍ×厚さ２ｍｍの成形品（光拡散板）を得た。
デュポン衝撃試験はＡＳＴＭ  Ｄ２７９４に準拠して測定した。評価結果を表４に示す。【０１５５】
【表４】
2008081791.tif 000005
【０１５６】
表４から明らかなように、本発明の流動性向上剤を配合した実施例１７及び１８の樹脂組成物は、本発明の流動性向上剤を配合していない比較例１２及び１３の樹脂組成物に対して、成形加工時の流動性が向上した。
本発明の流動性向上剤を配合した実施例１７及び１８の光拡散板は、本発明の流動性向上剤を配合していない比較例１２及び１３の光拡散板に対して、光拡散率及び耐衝撃性が損なわれないことを確認した。【０１５７】
＜実施例１９、比較例１４＞
芳香族ポリカーボネート樹脂（パンライトＡＤ−５５０３、帝人化成（株）製）、及び流動性向上剤（５）を表５に示す割合で配合し、２軸押出機（ＴＥＭ−３５、東芝機械（株）製）に供給し、２８０℃で溶融混練して芳香族ポリカーボネート系樹脂組成物を得た。
芳香族ポリカーボネート樹脂への流動性向上剤の配合は、前記の（Ｉ）の方法を用いた。
得られた芳香族ポリカーボネート系樹脂組成物を用いて、以下の評価を行なった。【０１５８】
（溶融流動性）
前述の方法に従い、樹脂組成物の溶融流動性を評価した。評価結果を表５に示す。【０１５９】
（転写性）
光ディスクの成形による転写性を以下のようにして評価した。
射出成形機（Ｍ３５Ｂ−Ｄ−ＤＭ、（株）名機製作所製）、キャビティ厚１．２ｍｍ、直径１２０ｍｍの金型、及びグルーブ深さ４３ｎｍ、グルーブピッチ０．６μｍの溝が刻まれた２２．５ＧＢの容量を有するスタンパーを用い、シリンダー設定温度３２０℃、金型温度１１０℃、型締め力１５トン、冷却時間１５秒で、光ディスク基板を成形した。
得られた光ディスク基板の、半径２５ｍｍ部分における溝部の深さを、原子間力顕微鏡（ＳＰＩ３７００、セイコーインスツル（株）製）にて測定した。
以下の基準により、転写性を評価した。評価結果を表５に示す。
×：溝部の深さが、芳香族ポリカーボネート樹脂単独の場合より小さい
△：溝部の深さが、芳香族ポリカーボネート樹脂単独の場合と同程度
○：溝部の深さが、芳香族ポリカーボネート樹脂単独の場合より大きい【０１６０】
（吸水率）
射出成形機（ＩＳ−１００、東芝機械（株）製）を用いて樹脂組成物を成形し、縦１００ｍｍ×横５０ｍｍ×厚さ３ｍｍの成形品を得た。
以下の手順により、成形品の吸水率を測定した。評価結果を表５に示す。
１）成形品を２３℃、湿度５０％の環境下で一晩保管し、質量を測定する。（Ａ）
２）成形品を純水に浸し、２４時間後に取り出し、付着した水を拭き取った後、成形品の質量を測定する。（Ｂ）
３）下記式により、成形品の吸水率を算出する。
（Ｂ−Ａ）／Ａ×１００［％］【０１６１】
【表５】
2008081791.tif 000006
【０１６２】
（反り）
射出成形機（ＩＳ−１００、東芝機械（株）製）を用いて樹脂組成物を成形し、縦１００ｍｍ×横５０ｍｍ×厚さ２ｍｍの成形品を得た。
得られた成形品を、下記の（ａ）、（ｂ）、（ｃ）の環境に順次保管した。
（ａ）２３℃、湿度５０％の環境で２４時間保管
（ｂ）３０℃、湿度９０％の恒温槽に２４時間保管
（ｃ）２３℃、湿度５０％の環境で７２時間保管【０１６３】
それぞれの環境下での反りを評価した。
反りの測定は、水平な台の上に成形品を置き、成形品中央部の縦方向に、水平な台から成形品の裏面までの距離を非接触式三次元測定装置（ＮＨ−３ＭＡ、三鷹光器（株）製）を用いて測定した。測定結果を図１に示す。
図１は、横軸が成形品の縦幅に沿った位置（ｘ）であり、縦軸が水平な台から成形品の裏面までの距離（ｙ）である。
（ｘ）が０〜１０ｍｍ及び９０〜１００ｍｍの位置は、成形品の周辺部であり、射出成形によるバリによって（ｙ）が大きい。このため、（ｘ）が２０ｍｍの位置の、（ｙ）の数値を評価した。
（ｘ）が２０ｍｍの位置での（ｙ）の数値は、実施例１９の成形品では８〜１２μｍ程度の変化であり、比較例１４の成形品では９〜１１μｍ程度の変化であった。これらは測定誤差の範囲である。【０１６４】
（複屈折率）
射出成形機（ＩＳ−１００、東芝機械（株）製）を用いて樹脂組成物を成形し、縦１５０ｍｍ×横１５０ｍｍ×厚さ２ｍｍの成形品を得た。
高速分光エリプソメータ（Ｍ−２０００、Ｊ．Ａ．Ｗｏｏｌｌａｍ社製）を用い、透過法にて成形品中央部付近の位相差を測定した。
位相差は、小さいほど成形品の複屈折率が低いことを示す。測定結果を図２に示す。【０１６５】
表５、図１及び図２から明らかなように、本発明の流動性向上剤を配合した実施例１９の樹脂組成物は、本発明の流動性向上剤を配合していない比較例１４の樹脂組成物に対して、成形加工時の流動性が向上した。
本発明の流動性向上剤を配合した実施例１９の成形品は、本発明の流動性向上剤を配合していない比較例１４の成形品に対して、転写性及び複屈折率が改良された。また、吸水率及び反りが損なわれないことを確認した。【０１６６】
＜実施例２０及び２１、比較例１５＞
芳香族ポリカーボネート樹脂（タフロンＦＮ−１５００、出光興産（株）製）、及び流動性向上剤（６）を表６に示す割合で配合し、２軸押出機（ＴＥＭ−３５、東芝機械（株）製）に供給し、２８０℃で溶融混練して芳香族ポリカーボネート系樹脂組成物を得た。
芳香族ポリカーボネート樹脂への流動性向上剤の配合は、前記の（Ｉ）の方法を用いた。
得られた芳香族ポリカーボネート系樹脂組成物を用いて、以下の評価を行なった。【０１６７】
（溶融流動性）
前述の方法に従い、樹脂組成物の溶融流動性を評価した。評価結果を表６に示す。【０１６８】
（転写性）
成形品の転写性を以下のようにして評価した。
射出成形機（ＪＳＷ製Ｊ３５ＡＤ）、及び、高さ１１μｍ×底辺５０μｍの二等辺三角形の溝が片面に繰返し刻まれた、縦５２ｍｍ×横３８ｍｍ×厚さ０．４ｍｍの金型を用い、シリンダー設定温度を所定の温度、金型温度１００℃、射出圧２７０ＭＰａ、射出速度２８０〜３００ｍ／秒、射出時間１０秒、冷却時間２０秒で成形し、成形品（導光板）を得た。
成形品を目視で観察し、金型のパターンが成形品に良好に転写される、射出成形機のシリンダー設定温度の下限を求めた。評価結果を表６に示す。【０１６９】
（輝度測定）
１）バックライトユニットの作製
転写性の評価で得た導光板の溝が形成された面を下にし、導光板の下に反射板（銀反射シート７５μｍ、（株）麗光製）を設置し、導光板の上にプリズムシート（ダイヤアートＭＤ６８ＹＳ、三菱レイヨン（株）製）を設置した。
導光板の短辺に、ＬＥＤ光源（電流値：２０ｍＡ）を対面するように配置し、ＬＥＤ光源を点灯させた。
２）輝度の測定
輝度計（ＢＭ−７、ＴＯＰＣＯＮ製）を導光板から５００ｍｍ離して設置し、導光板中央部の輝度を測定した。評価結果を表６に示す。【０１７０】
（輝度分布の測定）
視野角測定装置（ＥＺＣＯＮＴＲＡＳＴ  １６０Ｒ、ＥＬＤＩＭ社製）を導光板から１ｍｍ離して設置し、導光板中央部の輝度分布を測定した。  
輝度分布の測定範囲は、ＬＥＤ光源からの光が進む向きに垂直方向と水平方向とした。
最大輝度とピークの半値幅を算出した。評価結果を表６に示す。【０１７１】
【表６】
2008081791.tif 000007
【０１７２】
表６から明らかなように、本発明の流動性向上剤を配合した実施例２０及び２１の樹脂組成物は、本発明の流動性向上剤を配合していない比較例１５の樹脂組成物に対して、成形加工時の流動性が向上した。
本発明の流動性向上剤を配合した実施例２０及び２１の成形品は、本発明の流動性向上剤を配合していない比較例１５の成形品に対して、転写性が改良された。また、輝度及び輝度分布が損なわれないことを確認した。
【産業上の利用可能性】
【０１７３】
本発明の流動性向上剤によれば、芳香族ポリカーボネート樹脂本来の特性（透明性、耐表層剥離性、耐熱性、耐衝撃性、及び耐薬品性）を損なうことなく、成形加工時の流動性を向上させることができる。そのため、本発明の芳香族ポリカーボネート系樹脂組成物は、大型化、薄肉化、形状複雑化した成形品の成形を実現し、ハードコート品、グレージング材、光拡散板、光ディスク基板、導光板、医療材料、雑貨等幅広い用途に好適に用いられる。
【図１】
2008081791.tif 000008
【図２】
2008081791.tif 000009
【国際調査報告】
2008081791.tif 000010
2008081791.tif 000011
2008081791.tif 000012
2008081791.tif 000013